(57)【特許請求の範囲】
【請求項１】
第１コネクタと、この第１コネクタと嵌合可能な第２コネクタと、前記第１コネクタと前記第２コネクタとのうちいずれか一方のコネクタに設けられ回動によって前記第１コネクタと前記第２コネクタとを嵌合させるレバーとを備え、前記第１コネクタと前記第２コネクタとが嵌合状態でパネルの取付孔に取り付けられるレバー式コネクタであって、
前記レバーには、撓み可能に係止部が設けられ、前記一方のコネクタには、前記レバーの回動によって前記係止部を撓ませ前記第１コネクタと前記第２コネクタとの正規嵌合状態で前記係止部が係止される被係止部が設けられ、
前記係止部には、前記第１コネクタと前記第２コネクタとが正規嵌合状態で前記パネルの取付孔に取り付けられたときに前記取付孔の縁部と対向配置され、前記係止部と前記被係止部との係止解除を防止する規制部が設けられ、
前記係止部には、撓み可能に設けられ前記パネルの取付孔に挿通されたときに前記取付孔の縁部によって撓まされ、前記規制部が前記取付孔の縁部と対向配置されたときに前記取付孔の縁部に係止されて前記一方のコネクタの前記パネルからの抜けを防止するパネル係止部が設けられ、
前記係止部は、前記第１コネクタと前記第２コネクタとが正規嵌合状態で前記一方のコネクタの重力方向に位置され、前記規制部が前記取付孔の下端縁部と対向配置され、前記パネル係止部が前記取付孔の下端縁部に係止されることを特徴とするレバー式コネクタ。
【発明の詳細な説明】
【技術分野】
【０００１】
本発明は、パネルに取り付けられるレバー式コネクタに関する。
【背景技術】
【０００２】
従来、パネルに取り付けられるレバー式コネクタとしては、第１コネクタとしての雄側コネクタハウジングと、この雄側コネクタハウジングと嵌合可能な第２コネクタとしての雌側コネクタハウジングと、雄側コネクタハウジングに設けられ回動によって雄側コネクタハウジングと雌側コネクタハウジングとを嵌合させるレバーとを備え、雄側コネクタハウジングと雌側コネクタハウジングとが嵌合状態でパネルの取付孔に取り付けられるものが知られている（例えば、特許文献１参照）。
【０００３】
このレバー式コネクタでは、レバーに、そのレバーが嵌合位置にある状態では取付孔への取付方向に対して傾斜すると共に取付孔の孔縁への当接を可能とされたガイド部が概ね前方に面して形成され、レバーが待ち受け位置にあり且つ雌側コネクタハウジングが雄側コネクタハウジングに嵌められた状態では、その雌側コネクタハウジングの背面がガイド部とほぼ面一に又はガイド部よりも前方に位置する構成としている。
【０００４】
この構成により、パネルの取付孔に対して位置ずれした状態でレバー式コネクタの取り付けが行われたときには、レバーのガイド部が取付孔の孔縁に当接してガイド部によってレバー式コネクタが取付孔に対して正規の位置に誘導される。また、レバーが待ち受け位置にあるときには、雌側コネクタハウジングの背面がガイド部とほぼ面一に又はガイド部よりも前方に位置するので、ガイド部との干渉を避けて雌側コネクタハウジングの背面を押すことができる。
【先行技術文献】
【特許文献】
【０００５】
【特許文献１】特開２００２−３５９０２９号公報
【発明の概要】
【発明が解決しようとする課題】
【０００６】
しかしながら、上記のようなレバー式コネクタでは、第１コネクタと第２コネクタとが正規嵌合状態でパネルの取付孔に取り付けられたときに、レバーの回動が防止されていないので、レバー操作を行うことができ、第１コネクタと第２コネクタとの嵌合が解除されてしまう可能性があった。
【０００７】
そこで、この発明は、パネルに取り付けた状態におけるコネクタ同士の嵌合解除を防止することができるレバー式コネクタの提供を目的としている。
【課題を解決するための手段】
【０００８】
請求項１記載の発明は、第１コネクタと、この第１コネクタと嵌合可能な第２コネクタと、前記第１コネクタと前記第２コネクタとのうちいずれか一方のコネクタに設けられ回動によって前記第１コネクタと前記第２コネクタとを嵌合させるレバーとを備え、前記第１コネクタと前記第２コネクタとが嵌合状態でパネルの取付孔に取り付けられるレバー式コネクタであって、前記レバーには、撓み可能に係止部が設けられ、前記一方のコネクタには、前記レバーの回動によって前記係止部を撓ませ前記第１コネクタと前記第２コネクタとの正規嵌合状態で前記係止部が係止される被係止部が設けられ、前記係止部には、前記第１コネクタと前記第２コネクタとが正規嵌合状態で前記パネルの取付孔に取り付けられたときに前記取付孔の縁部と対向配置され、前記係止部と前記被係止部との係止解除を防止する規制部が設けられ、前記係止部には、撓み可能に設けられ前記パネルの取付孔に挿通されたときに前記取付孔の縁部によって撓まされ、前記規制部が前記取付孔の縁部と対向配置されたときに前記取付孔の縁部に係止されて前記一方のコネクタの前記パネルからの抜けを防止するパネル係止部が設けられ、前記係止部は、前記第１コネクタと前記第２コネクタとが正規嵌合状態で前記一方のコネクタの重力方向に位置され、前記規制部が前記取付孔の下端縁部と対向配置され、前記パネル係止部が前記取付孔の下端縁部に係止されることを特徴とする。
【０００９】
このレバー式コネクタでは、係止部に第１コネクタと第２コネクタとが正規嵌合状態でパネルの取付孔に取り付けられたときに取付孔の縁部と対向配置され、係止部と被係止部との係止解除を防止する規制部が設けられているので、レバー式コネクタがパネルに取り付けられた状態で規制部によって係止部と被係止部との係止が解除されることがなく、レバーが回動されることがない。
【００１０】
従って、このようなレバー式コネクタでは、パネルに取り付けた状態でレバーが回動することがないので、パネルに取り付けた状態におけるコネクタ同士の嵌合解除を防止することができる。
【００１２】
このレバー式コネクタでは、係止部に規制部が取付孔の縁部と対向配置されたときに取付孔の縁部に係止されて一方のコネクタのパネルからの抜けを防止するパネル係止部が設けられているので、１つの係止部でコネクタ同士の正規嵌合状態の保持と、パネルに対するレバー式コネクタの保持とを行うことができる。
【００１５】
また、係止部は、第１コネクタと第２コネクタとが正規嵌合状態で一方のコネクタの重力方向に位置されるので、一部のパネルロック部が破損したとしても、規制部が取付孔の縁部に当接され係止部と被係止部との係止が解除されることがなく、コネクタ同士の正規嵌合状態を保持することができる。
【発明の効果】
【００１６】
本発明によれば、パネルに取り付けた状態におけるコネクタ同士の嵌合解除を防止することができるレバー式コネクタを提供することができるという効果を奏する。
【図面の簡単な説明】
【００１７】
【図１】本発明の実施の形態に係るレバー式コネクタの分解斜視図である。
【図２】本発明の実施の形態に係るレバー式コネクタの側面図である。
【図３】本発明の実施の形態に係るレバー式コネクタの正面図である。
【図４】図３のＡ−Ａ断面図である。
【図５】本発明の実施の形態に係るレバー式コネクタの要部拡大図である。
【発明を実施するための形態】
【００１８】
図１〜図５を用いて本発明の実施の形態に係るレバー式コネクタについて説明する。
【００１９】
本実施の形態に係るレバー式コネクタ１は、第１コネクタ３と、この第１コネクタ３と嵌合可能な第２コネクタ５と、第１コネクタ３に設けられ回動によって第１コネクタ３と第２コネクタ５とを嵌合させるレバー７とを備え、第１コネクタ３と第２コネクタ５とが嵌合状態でパネル９の取付孔１１に取り付けられる。
【００２０】
また、レバー７には、撓み可能に係止部１３が設けられ、第１コネクタ３には、レバー７の回動によって係止部１３を撓ませ第１コネクタ３と第２コネクタ５との正規嵌合状態で係止部１３が係止される被係止部１５が設けられている。
【００２１】
そして、係止部１３には、第１コネクタ３と第２コネクタ５とが正規嵌合状態でパネル９の取付孔１１に取り付けられたときに取付孔１１の縁部と対向配置され、係止部１３と被係止部１５との係止解除を防止する規制部１７が設けられている。
【００２２】
また、係止部１３には、撓み可能に設けられパネル９の取付孔１１に挿通されたときに取付孔１１の縁部によって撓まされ、規制部１７が取付孔１１の縁部と対向配置されたときに取付孔１１の縁部に係止されて第１コネクタ３のパネル９からの抜けを防止するパネル係止部１９が設けられている。
【００２３】
さらに、第１コネクタ３の幅は、パネル９の取付孔１１の幅と略同一に形成され、第１コネクタ３の幅方向両側の側面には、取付孔１１に取り付けられたときに取付孔１１の縁部に係止されて第１コネクタ３のパネル９からの抜けを防止するパネルロック部２１が複数設けられ、係止部１３は、第１コネクタ３と第２コネクタ５とが正規嵌合状態で第１コネクタ３の重力方向に位置される。
【００２４】
図１〜図５に示すように、第１コネクタ３は、インナハウジング２３と、フレーム２５とからなる。インナハウジング２３は、２つの筐体部材を上下に２段重ねた構造となっており、内部に複数の端子２７が収容されている。このインナハウジング２３は、フレーム２５内に収容される。
【００２５】
フレーム２５は、円筒状に形成され、内部にインナハウジング２３が収容される。また、フレーム２５の幅は、パネル９の取付孔１１の幅と略同一に形成されている。このフレーム２５の幅方向両側の側面には、複数（ここでは４箇所）のパネルロック部２１が弾性変形可能に設けられている。この複数のパネルロック部２１は、パネル９の取付孔１１に取り付けられたときに取付孔１１の縁部に係止され、第１コネクタ３、すなわちレバー式コネクタ１のパネル９からの抜けを防止する。このようなフレーム２５内に収容されたインナハウジング２３は、フレーム２５内で第２コネクタ５と嵌合される。
【００２６】
第２コネクタ５は、インナハウジング２３よりも大きな２つの筐体部材を上下に２段重ねた構造となっており、内部に複数の端子２７に接続される複数の相手端子２９が収容されている。また、第２コネクタ５の両側面には、レバー７のカム溝３１に挿入されるカムフォロア３３がそれぞれ突設されている。また、第２コネクタ５の上面には、フレーム２５に形成されたガイド溝３５に係合されるガイド突起３７が設けられている。この第２コネクタ５は、ガイド突起３７をガイド溝３５に挿入すると共に、カムフォロア３３をカム溝３１に挿入し、レバー７の回動によってインナハウジング２３と嵌合され、複数の端子２７と複数の相手端子２９とが接続される。
【００２７】
レバー７は、両側面にそれぞれ設けられた軸支部３９でフレーム２５に回動可能に組み付けられている。このレバー７は、第２コネクタ５のカムフォロア３３がカム溝３１に挿入された状態、すなわち第１コネクタ３と第２コネクタ５の仮嵌合状態で、操作部４１を押圧操作することにより回動し、てこ作用によって第１コネクタ３と第２コネクタ５とを正規嵌合状態とさせる。このようなレバー７には、フレーム２５の被係止部１５に係止される係止部１３が設けられている。
【００２８】
係止部１３は、レバー７の操作部４１側の端部に撓み可能に設けられている。この係止部１３は、レバー７の回動操作の終盤、すなわち第１コネクタ３と第２コネクタ５とが正規嵌合状態に近づいたとき、被係止部１５に当接され、レバー７の回動操作の終了時、すなわち第１コネクタ３と第２コネクタ５とが正規嵌合状態に至ったとき、被係止部１５に係止される。
【００２９】
被係止部１５は、フレーム２５の下面に突設され、頂部から両側に下り傾斜となる傾斜面が設けられている。この被係止部１５は、レバー７の回動操作によって係止部１３が当接されると、係止部１３を外側に撓ませる。この状態からさらにレバー７の回動操作を継続すると、係止部１３が被係止部１５を乗り越えて係止部１３が内側に向けて復元され、係止部１３が被係止部１５に係止される。この係止部１３と被係止部１５との係止により、第１コネクタ３と第２コネクタ５との正規嵌合状態が保持される。
【００３０】
このような係止部１３は、第１コネクタ３と第２コネクタ５とが正規嵌合状態で重力方向に位置されており、規制部１７と、パネル係止部１９とが設けられている。規制部１７は、係止部１３の外面側に形成されている。この規制部１７は、第１コネクタ３と第２コネクタ５とが正規嵌合状態でパネル９の取付孔１１に取り付けられたときに取付孔１１の下端縁部と対向配置される。このため、係止部１３が外側に撓もうとしても、規制部１７と取付孔１１の下端縁部とが当接し、係止部１３と被係止部１５との係止解除が防止され、レバー７が回動されることがない。このレバー７の回動防止により、第１コネクタ３と第２コネクタ５との嵌合が解除されることを防止できる。
【００３１】
なお、係止部１３と被係止部１５との係止状態では、係止部１３がフレーム２５に設けられた操作規制部４３内に配置される。この操作規制部４３は、係止部１３の周囲を覆うようにフレーム２５に設けられており、不意な外力などによって係止部１３が外側に撓まされることを防止している。
【００３２】
パネル係止部１９は、規制部１７よりもレバー式コネクタ１のパネル９への取付方向前側に設けられている。また、パネル係止部１９は、規制部１７の幅方向両側にそれぞれ外側に傾斜面を有して撓み可能に突設されている。このパネル係止部１９は、第１コネクタ３と第２コネクタ５とが正規嵌合状態でパネル９の取付孔１１に取り付けられるときに、取付孔１１の下端縁部によって内側に撓まされる。この状態からさらにレバー式コネクタ１をパネル９の取付孔１１に挿通させると、パネル係止部１９が取付孔１１の下端縁部を乗り越えて外側に復元され、パネル係止部１９が取付孔１１の縁部に係止される。このようなパネル係止部１９は、フレーム２５の複数のパネルロック部２１と共に、レバー式コネクタ１のパネル９からの抜けを防止する。
【００３３】
なお、フレーム２５の上面には、検知部４５が突設されている。この検知部４５は、第１コネクタ３と第２コネクタ５とが正規嵌合状態に至っていない半嵌合状態であるときに、レバー式コネクタ１がパネル９に取り付けられることを防止する検知手段である。詳細には、例えば、係止部１３が被係止部１５の完全に係止されず、被係止部１５の頂部に位置しているような場合、レバー式コネクタ１をパネル９に取り付けようとすると、係止部１３の外側面が取付孔１１の下端縁部と干渉する。このとき、レバー式コネクタ１は、取付孔１１に対して上側に移動されるので、検知部４５も取付孔１１の上端縁部と干渉する。これらの干渉により、第１コネクタ３と第２コネクタ５とが半嵌合状態であることを検知することができる。
【００３４】
このようなレバー式コネクタ１では、係止部１３に第１コネクタ３と第２コネクタ５とが正規嵌合状態でパネル９の取付孔１１に取り付けられたときに取付孔１１の縁部と対向配置され、係止部１３と被係止部１５との係止解除を防止する規制部１７が設けられているので、レバー式コネクタ１がパネル９に取り付けられた状態で規制部１７によって係止部１３と被係止部１５との係止が解除されることがなく、レバー７が回動されることがない。
【００３５】
従って、このようなレバー式コネクタ１では、パネル９に取り付けた状態でレバー７が回動することがないので、パネル９に取り付けた状態におけるコネクタ３，５同士の嵌合解除を防止することができる。
【００３６】
また、係止部１３には、規制部１７が取付孔１１の縁部と対向配置されたときに取付孔１１の縁部に係止されて第１コネクタ３のパネル９からの抜けを防止するパネル係止部１９が設けられているので、１つの係止部１３でコネクタ３，５同士の正規嵌合状態の保持と、パネル９に対するレバー式コネクタ１の保持とを行うことができる。
【００３７】
さらに、第１コネクタ３の幅がパネル９の取付孔１１の幅と略同一に形成され、第１コネクタ３の幅方向両側の側面に取付孔１１に取り付けられたときに取付孔１１の縁部に係止されて第１コネクタ３のパネル９からの抜けを防止するパネルロック部２１が複数設けられているので、レバー式コネクタ１がパネル９の取付孔１１で傾くことがなく、係止部１３の係止やパネルロック部２１の係止がレバー式コネクタ１の傾きによって解除されることがない。
【００３８】
また、係止部１３は、第１コネクタ３と第２コネクタ５とが正規嵌合状態で第１コネクタ３の重力方向に位置されるので、パネルロック部２１が破損したとしても、規制部１７が取付孔１１の縁部に当接され係止部１３と被係止部１５との係止が解除されることがなく、コネクタ３，５同士の正規嵌合状態を保持することができる。加えて、パネル係止部１９と取付孔１１の縁部との係止が解除されることがなく、パネル９に対してレバー式コネクタ１を保持することができる。
【００３９】
なお、本発明の実施の形態に係るレバー式コネクタでは、第１コネクタにレバーが設けられた構成となっているが、第２コネクタにレバーを設けた構成としてもよい。
【００４０】
また、第１コネクタは、インナハウジングとフレームとが別体で形成されて一体的に組み付けられているが、インナハウジングとフレームとを一体的に形成してもよい。
【００４１】
さらに、係止部は、第１コネクタと第２コネクタとが正規嵌合状態で一方のコネクタの重力方向に位置されるが、係止部を一方のコネクタの重力方向反対側に位置させるようにしてもよい。この場合には、係止部のパネルの取付孔の上端縁部と対向する部分に規制部を設ければよい。このような規制部によっても、係止部と被係止部との係止解除を防止することができる。
【符号の説明】
【００４２】
１…レバー式コネクタ
３…第１コネクタ
５…第２コネクタ
７…レバー
９…パネル
１１…取付孔
１３…係止部
１５…被係止部
１７…規制部
１９…パネル係止部
２１…パネルロック部
【図１】
0005789140.tif 000002
【図２】
0005789140.tif 000003
【図３】
0005789140.tif 000004
【図４】
0005789140.tif 000005
【図５】
0005789140.tif 000006